(57)【要約】【課題】繊維製品に付いた臭いを手軽・簡単に除去でき、その際に繊維製品に目立った着色・シミ等を引き起こさない技術を提供する【解決手段】繊維製品に付いた臭いを除去する剤であって、縮合型タンニンと水とを有してなり、前記タンニンは、前記水１００質量部に対して、０．００１〜０．５質量部である。【選択図】なし【特許請求の範囲】
【請求項１】
繊維製品に付いた臭いを除去する剤であって、
縮合型タンニンと水とを有してなり、
前記タンニンは、前記水１００質量部に対して、０．００１〜０．５質量部である
剤。
【請求項２】
前記タンニンが天然物由来のタンニンである
請求項１の剤。
【請求項３】
前記タンニンがカキタンニンである
請求項１又は請求項２の剤。
【請求項４】
前記タンニンは、前記水１００質量部に対して、０．０１〜０．１質量部である
請求項１〜請求項３いずれかの剤。
【請求項５】
更に防腐剤を有してなり、
前記防腐剤は、天然物由来の防腐剤の群の中から選ばれる一種または二種以上である
請求項１〜請求項４いずれかの剤。
【請求項６】
前記防腐剤が、前記水１００質量部に対して、０．０１〜０．５質量部である
請求項５の剤。
【請求項７】
前記臭いが、脂質およびタンパク質の群の中から選ばれる一種または二種以上の成分に由来の臭いである
請求項１〜請求項６いずれかの剤。
【請求項８】
前記臭いが、脂質の酸化物およびタンパク質の酸化物の群の中から選ばれる一種または二種以上の成分に由来の臭いである
請求項１〜請求項６いずれかの剤。
【請求項９】
請求項１〜請求項８いずれかの剤を繊維製品に付ける消臭方法。
【請求項１０】
請求項１〜請求項８いずれかの剤を臭いが付いた繊維製品に付ける消臭方法。
【請求項１１】
請求項１〜請求項８いずれかの剤を臭いが付いた被服に向けて噴霧する消臭方法。
【請求項１２】
請求項１〜請求項８いずれかの剤を食事で臭いが付いた被服に向けて食後に噴霧する消臭方法。
【発明の詳細な説明】
【技術分野】
【０００１】
本発明は消臭技術に関する。
【背景技術】
【０００２】
消臭剤が幾つも提案されている。体臭消臭剤が数多く市販されている。
【０００３】
ところで、本発明が対象とする繊維製品（例えば、被服類）に付いた臭いを消す為の消臭剤には、体臭消臭剤には要求されない要件が有る。
【０００４】
すなわち、消臭剤を被服に吹き付けた場合、消臭剤による着色やシミが起きてはならないと言う事である。吹き付けた消臭剤によって、被服に色が付いたり、シミが付いたりしたのでは、その被服を着ることが出来なくなる。クリーニングせざるを得なくなる。従って、消臭剤による着色・シミの発生が起きないことは、繊維製品（例えば、被服類）に付いた臭いを消す為の消臭剤としては絶対に必須の要件である。つまり、消臭効果が有れば良いと言うものではない。この点において、体臭消臭剤に要求される以上の厳しい要件が果たされる。
【０００５】
繊維製品（例えば、被服類）に付いた臭いを消す為の消臭剤として、例えばトウモロコシ由来の消臭成分を用いたファブリーズ（商品名：Ｐ＆Ｇ製）、茶葉抽出の消臭成分を用いたリセッシュ（商品名：花王製）等が市販されている。
【０００６】
他にも、上記天然物由来の消臭成分を用いた消臭剤ではなく、合成化合物の消臭成分を用いた消臭剤も提案（特開２００７−２８２７９８号公報）されている。しかし、昨今にあっては、上記市販製品からも判る通り、天然物由来の消臭成分を用いた消臭剤に注目が集まっている。
【先行技術文献】
【特許文献】
【０００７】
【特許文献１】特開２００７−２８２７９８号公報
【発明の概要】
【発明が解決しようとする課題】
【０００８】
本発明が解決しようとする課題は、繊維製品（例えば、被服）に付いた臭いを手軽・簡単に除去でき、その際に繊維製品（例えば、被服）に目立った着色・シミ等を引き起こさない技術を提供することである。
【課題を解決するための手段】
【０００９】
本発明は、
繊維製品に付いた臭いを消臭する剤であって、
縮合型タンニンと水とを有してなり、
前記タンニンは、前記水１００質量部に対して、０．００１〜０．５質量部である
剤を提案する。
【００１０】
本発明は、前記剤であって、前記タンニンが天然物由来のタンニンである剤を提案する。
【００１１】
本発明は、前記剤であって、前記タンニンがカキタンニンである剤を提案する。
【００１２】
本発明は、前記剤であって、前記タンニンは、前記水１００質量部に対して、０．０１〜０．１質量部である剤を提案する。
【００１３】
本発明は、前記剤であって、更に防腐剤を有してなり、前記防腐剤は天然物由来の防腐剤の群の中から選ばれる一種または二種以上である剤を提案する。
【００１４】
本発明は、前記剤であって、前記防腐剤が、前記水１００質量部に対して、０．０１〜０．５質量部である剤を提案する。
【００１５】
本発明は、前記剤であって、前記繊維製品に付いた臭いが、脂質およびタンパク質の群の中から選ばれる一種または二種以上の成分に由来の臭いである剤を提案する。本発明は、前記剤であって、前記剤は繊維製品に付いた脂質およびタンパク質の群の中から選ばれる一種または二種以上の成分に由来の臭いを消臭する剤を提案する。
【００１６】
本発明は、前記剤であって、前記繊維製品に付いた臭いが、脂質の酸化物およびタンパク質の酸化物の群の中から選ばれる一種または二種以上の成分に由来の臭いである剤を提案する。本発明は、前記剤であって、前記剤は繊維製品に付いた脂質の酸化物およびタンパク質の酸化物の群の中から選ばれる一種または二種以上の成分に由来の臭いを消臭する剤を提案する。
【００１７】
本発明は、前記剤を繊維製品に付ける消臭方法を提案する。
【００１８】
本発明は、前記剤を臭いが付いた繊維製品に付ける消臭方法を提案する。
【００１９】
本発明は、前記剤を臭いが付いた後の繊維製品に付ける消臭方法を提案する。
【００２０】
本発明は、前記剤を臭いが付いた被服に向けて噴霧する消臭方法を提案する。
【００２１】
本発明は、前記剤を食事で臭いが付いた被服に向けて食後に噴霧する消臭方法を提案する。
【発明の効果】
【００２２】
繊維製品（例えば、被服）に付いた臭いを手軽・簡単に消臭できる。
【００２３】
繊維製品（例えば、被服）に目立った着色・シミ等を引き起こさない。
【発明を実施するための形態】
【００２４】
以下、本発明の実施形態が説明される。
【００２５】
第１の発明は剤（消臭剤）である。前記剤は、特に、繊維製品（例えば、被服）に付いた臭いを消臭する剤である。特に、繊維製品（例えば、被服）に付いた脂質およびタンパク質の群の中から選ばれる一種または二種以上の成分に由来の臭いを消臭する場合の剤である。繊維製品（例えば、被服）に付いた脂質の酸化物およびタンパク質の酸化物の群の中から選ばれる一種または二種以上の成分に由来の臭いを消臭する場合の剤である。その理由は前記の如きの臭いに対する消臭効果が格段に優れていたからであった。
【００２６】
前記剤はタンニンを含有する。前記タンニンは、特に、縮合型タンニンである。前記タンニンは、好ましくは、天然物由来のタンニンであった。前記タンニンは、特に好ましくは、カキタンニンであった。前記タンニンは，例えば柿を搾汁することで得られる。市販品（例えば、株式会社トミヤマ製、富士化学工業株式会社製）でも差し支えない。前記の如きのタンニンが用いられた場合、前記の如きの臭い成分に対する消臭効果が格段に優れていた。すなわち、本発明の目的が効果的に奏された。
【００２７】
タンニンは、例えば茶葉にも含まれている。茶葉に含まれるタンニンとしては、エピカテキン、エピガロカテキン等のカテキン類が知られている。これ等は、一般的に、下記構造式で表される化合物である。
2020025793.tif 000002
【００２８】
これに対して、カキタンニン（縮合型カキタンニン）は、一般的に、下記構造式で表される化合物である。前記カキタンニンの構造は前記茶葉に含まれるタンニンの構造と全く異なっている。本発明が、前記茶葉に含まれるタンニンではなく、縮合型タンニンを用いたのは、例えば焼肉店などの食事中に被服に付いた臭いを除去する効果が高かったからである。すなわち、前記茶葉に含まれるタンニンでは本発明の特長を奏することが出来なかった。
2020025793.tif 000003
【００２９】
縮合型タンニンは、体臭（加齢臭）の原因物質であるノナネール等の不飽和アルデヒドを分解し、体臭（加齢臭）を改善する効果を有することが提案されている（特許第４２１２２２０号）。しかし、縮合型タンニンが、脂質やタンパク質に由来の臭い物質を分解して消臭することまでは知られていなかった。この点から、本発明は、新規であり、かつ、進歩性を有すると確信している。
【００３０】
縮合型タンニンは淡褐色〜赤褐色であることが周知である。カキタンニン（柿渋）が、例えば布染色に用いられていることも周知である。特に、カキタンニン（柿渋）は繊維製品に浸透し易いことが広く知られている。カキタンニン（柿渋）を利用した染色が柿服という名称で済州島を中心にした伝統工芸染色であるとも謂われている（特開２０１１−１２３７９号公報）。カキタンニン（柿渋）が茶系統の塗料に用いられていることも周知である。特開２００８−１６３２８１号公報では、柿渋が木材、綿、紙などに対する赤褐色〜茶褐色の発色剤として用いられていることが開示されている。柿渋塗料が広く市販されている。このような着色（呈色）物質であるカキタンニン（柿渋）を被服に吹き付けたならば、これは、もう、被服に浸透してシミや汚れを引き起こしてしまうと考えるのが普通であろう。従って、仮に、カキタンニン（柿渋）が脂質やタンパク質に由来の臭い物質を分解することが判ったとしても、繊維製品（例えば、被服）に付いた前記臭いを消臭（除去）することを目的として、繊維製品（例えば、被服）にカキタンニン（柿渋）を吹き付けようとする発想は生まれなかったと確信している。この点からも、本発明は、新規であり、かつ、進歩性を有すると確信している。
【００３１】
前記剤は水を含有する。前記タンニンは、前記水１００質量部に対して、０．００１〜０．５質量部であった。好ましくは０．００５質量部以上であった。更に好ましくは０．０１質量部以上であった。好ましくは０．３質量部以下であった。更に好ましくは０．１質量部以下であった。すなわち、前記の如きの配合割合にしておくことによって、前記剤が繊維製品に噴霧された場合、消臭効果を発揮しながらも、繊維製品にシミや汚れを引き起こすことがなかったのである。例えば、水１００質量部に対して前記タンニンが０．５質量部を越えて多すぎた場合、被服に噴霧された前記タンニンによるシミ・汚れが目立つようになり、又、消臭効果が劇的に向上したものでもなかった。逆に、水１００質量部に対して前記タンニンが０．００１質量部未満の少な過ぎた場合、被服に噴霧された前記タンニンによる消臭効果が小さかった。すなわち、前記の配合割合から外れた場合、本発明の目的が達成されなかった。
【００３２】
カキタンニン（柿渋）は防腐効果を有している。従って、本発明の剤が防腐剤を含有していなくても、本発明の剤は保存性に優れている。しかしながら、好ましくは、更なる保存安定性の観点から、防腐剤が添加されていても良い。但し、カキタンニン（柿渋）を変性しない必要が有る。この観点から、防腐剤は、好ましくは、天然物由来の防腐剤の群の中から選ばれる一種または二種以上であった。例えば、トウモロコシ由来のペンチレングリコール（１，２−ペンタンジオールやシロヤナギ樹皮エキスが挙げられる。前記防腐剤は、前記水１００質量部に対して、好ましくは、０．０１〜０．５質量部であった。更に好ましくは０．０５質量部以上であった。もっと好ましくは０．３質量部以下であった。
【００３３】
第２の発明は消臭方法である。前記方法は前記剤を臭いが付いた後の繊維製品に付ける方法である。予め前記剤を被服に付けていても良い。すなわち、臭いを分解し、臭いの発生を抑えることができる。前記方法は前記剤を臭いが付いた被服に向けて噴霧する方法である。前記方法は前記剤を食事で臭いが付いた被服に向けて食後に噴霧する方法である。
【００３４】
本発明の剤は人体に対する安全性にも優れている。本発明の剤は、基本的には、被服などに吹き付けられる。本発明の剤が、着用している被服に噴霧された場合、例えば顔や手などの皮膚、又、髪の毛に付くことも予想される。この観点から消臭剤が生体安全性に富むことも大事な要件である。タンニンは、お歯黒の原料としても、古来から、用いられて来た。渋が抜けていない状態の柿を食したりする場合も有る。民間薬として、火傷や霜焼、血圧降下や解毒などに効くとして利用されても来た。その他にも、収斂作用、血行促進作用、抗炎症作用などが有るとも謂われている。従って、本発明の剤が被服に噴霧された際に含有タンニンが皮膚などに付いたとしても、生体安全性に優れているのみならず、美容効果などを期待することも出来るであろう。
【００３５】
以下、更に具体的な説明が行われる。但し、本発明は以下の具体的実施例に限定されるものではない。本発明の特長が大きく損なわれない限り、各種の変形例・応用例も含まれる。
【００３６】
［実施例１］
縮合型カキタンニン（原体：株式会社トミヤマ、精製加工：富士化学工業株式会社）                                                ０．０１質量部
ペンチレングリコール（防腐剤：（株）永廣堂本店製）      ０．２質量部
水                                                      １００質量部
上記組成物が十分に混合・撹拌されて消臭剤が作製された。
【００３７】
［実施例２］
縮合型カキタンニン（原体：株式会社トミヤマ、精製加工：富士化学工業株式会社）                                                ０．０４質量部
ペンチレングリコール（防腐剤：（株）永廣堂本店製）      ０．０３質量部
水                                                      １００質量部
上記組成物が十分に混合・撹拌されて消臭剤が作製された。
【００３８】
［実施例３］
縮合型カキタンニン（原体：株式会社トミヤマ、精製加工：富士化学工業株式会社）                                                ０．０７質量部
ペンチレングリコール（防腐剤：（株）永廣堂本店製）      ０．３質量部
水                                                      １００質量部
上記組成物が十分に混合・撹拌されて消臭剤が作製された。
【００３９】
［比較例１］
縮合型カキタンニン（原体：株式会社トミヤマ、精製加工：富士化学工業株式会社）                                            ０．０００４質量部
ペンチレングリコール（防腐剤：（株）永廣堂本店製）  ０．１質量部
水                                                      １００質量部
上記組成物が十分に混合・撹拌されて消臭剤が作製された。
【００４０】
［比較例２］
縮合型カキタンニン（原体：株式会社トミヤマ、精製加工：富士化学工業株式会社）                                                  １．５質量部
ペンチレングリコール（防腐剤：（株）永廣堂本店製）        ０．１質量部
水                                                      １００質量部
上記組成物が十分に混合・撹拌されて消臭剤が作製された。
【００４１】
［特性］
上記各例の消臭剤の試験が行われたので、その結果が表−１に示される。
２時間に亘って焼肉店にて食事をした被験者に対して、１０名のパネラーによるチェックが行われた。被験者に対して前記各例の消臭剤が食後に噴霧された。噴霧の前後において、被服の臭い及びシミに対するチェックが行われた。臭い及びシミに対する評価は１０名のパネラーによる平均値で示される。
【００４２】
表−１
消臭効果        シミ・汚れ
実施例１                      ４              ３
実施例２                      ４              ３
実施例３                      ４              ３
比較例１                      ２              ３
比較例２                      ５              １
市販品（ファブリーズ）        ３              ３
市販品（リセッシュ）          ３              ３
＊消臭効果の評価点  ：５      非常に良好
４      良好
３      やや良好
２      不良
１      非常に不良
＊シミ・汚れの評価点：３      シミ・汚れ認められず
２      シミ・汚れ注視しなければ判らず
１      シミ・汚れが認められる